【手続補正書】
【提出日】平成18年12月1日(2006.12.1)
【手続補正１】
【補正対象書類名】特許請求の範囲
【補正対象項目名】全文
【補正方法】変更
【補正の内容】
【特許請求の範囲】
【請求項１】
薬液を注入するために人体の表面近傍の血管に穿刺される注入針の脱落を検出する脱落検出装置であって、
前記注入針が挿入されている前記血管にレーザビームを照射するレーザダイオードと、
前記血管を移動する血液で反射された前記レーザビームを検出する光検出素子と、
前記光検出素子の検出結果から血流速度を検出する流速検出手段と、
前記血流速度の変化から前記注入針の脱落を判定する脱落判定手段と、
前記脱落が判定されると脱落警告を報知出力する警告報知手段と、
を有している脱落検出装置。
【請求項２】
薬液を注入するために人体の表面近傍の血管に穿刺される注入針の脱落を検出する脱落検出装置であって、
前記注入針が挿入されている前記血管にレーザビームを照射するレーザダイオードと、
前記血管を移動する血液で反射された前記レーザビームを検出する光検出素子と、
前記光検出素子の検出結果から血流速度を検出する流速検出手段と、
前記薬液の注入開始がデータ入力される開始入力手段と、
前記注入開始の入力以前の前記血流速度を自然速度としてデータ記憶する速度記憶手段と、
前記薬液の注入終了がデータ入力される終了入力手段と、
前記注入開始の入力以後で前記注入終了の入力以前に前記血流速度と前記自然速度との差分が所定の許容範囲より減少すると前記注入針の脱落を判定する脱落判定手段と、
前記脱落が判定されると脱落警告を報知出力する警告報知手段と、
を有している脱落検出装置。
【請求項３】
前記開始入力手段は、薬液シリンジに充填されている前記薬液を前記血管に注入する薬液注入装置から前記注入開始がデータ入力され、
前記終了入力手段は、前記薬液注入装置から注入終了がデータ入力される請求項２に記載の脱落検出装置。
【請求項４】
検出される前記血流速度が所定の正常範囲を逸脱すると異常発生を判定する異常判定手段も有しており、
警告報知手段は、前記異常発生が判定されると異常警告を報知出力する請求項１ないし３の何れか一項に記載の脱落検出装置。
【請求項５】
薬液シリンジに充填されている前記薬液を前記血管に注入する薬液注入装置に前記異常警告をデータ送信する警告送信手段も有している請求項４に記載の脱落検出装置。
【請求項６】
薬液シリンジに充填されている前記薬液を前記血管に注入する薬液注入装置に前記脱落警告をデータ送信する警告送信手段も有している請求項１ないし５の何れか一項に記載の脱落検出装置。
【請求項７】
少なくとも前記レーザダイオードと前記光検出素子とを有する脱落検出ユニットを有しており、
前記脱落検出ユニットとは別体に形成されていて少なくとも前記警告報知手段を有する検出装置本体を有しており、
前記脱落検出ユニットと前記検出装置本体とが無線通信する請求項１ないし６の何れか一項に記載の脱落検出装置。
【請求項８】
薬液シリンジに充填されている前記薬液を前記血管に注入する薬液注入装置に前記検出装置本体が一体に組み込まれている請求項７に記載の脱落検出装置。
【請求項９】
前記検出装置本体が、
前記無線信号の受信状態を検出する受信検出手段と、
検出される前記受信状態が所定状態より低下すると受信警告を報知出力する受信報知手段と、
を有している請求項７または８に記載の脱落検出装置。
【請求項１０】
前記人体の前記注入針が挿入されている位置の画像を撮像する画像撮像手段と、
撮像された前記画像を表示出力する画像表示手段と、を有している請求項１ないし９の何れか一項に記載の脱落検出装置。
【請求項１１】
前記脱落検出ユニットが前記人体の前記注入針が挿入されている位置の画像を撮像する画像撮像手段も有しており、
前記検出装置本体が撮像された前記画像を表示出力する画像表示手段も有している請求項７ないし９の何れか一項に記載の脱落検出装置。
【請求項１２】
少なくとも前記レーザダイオードと前記光検出素子とを有する脱落検出ユニットと、
前記注入針の位置が表記されていて前記脱落検出ユニットを前記人体表面に着脱自在に貼付する透明な粘着パッドと、
も有している請求項１ないし１１の何れか一項に記載の脱落検出装置。
【請求項１３】
前記粘着パッドが前記脱落検出ユニットとは別体で交換自在に形成されており、
前記粘着パッドに前記脱落検出ユニットの位置も表記されている請求項１２に記載の脱落検出装置。
【請求項１４】
前記レーザビームを透過して前記脱落検出ユニットを交換自在に封入する保護部材が前記粘着パッドと一体に形成されている請求項１２または１３に記載の脱落検出装置。
【請求項１５】
少なくとも前記レーザダイオードと前記光検出素子とを有する脱落検出ユニットと、
この脱落検出ユニットを封入して前記レーザビームを透過する交換自在な保護部材と、
も有している請求項１ないし１３の何れか一項に記載の脱落検出装置。
【請求項１６】
前記注入針に前記薬液を流動させる延長チューブが連結されており、
前記脱落が判定されると前記延長チューブを遮断するチューブ遮断手段も有している請求項１ないし１５の何れか一項に記載の脱落検出装置。
【請求項１７】
薬液シリンジに充填されている薬液を人体の表面近傍の血管に延長チューブと注入針とにより注入する薬液注入装置であって、
前記薬液シリンジを駆動する薬液注入機構と、
前記薬液注入機構を動作制御する注入制御手段と、
前記注入制御手段が前記薬液注入機構の作動を開始させると前記注入開始を請求項２に記載の脱落検出装置にデータ出力する開始出力手段と、
前記注入制御手段が前記薬液注入機構の作動を終了させると前記注入終了を前記脱落検出装置にデータ出力する終了出力手段と、
を有している薬液注入装置。
【請求項１８】
薬液シリンジに充填されている薬液を人体の表面近傍の血管に延長チューブと注入針とにより注入する薬液注入装置であって、
前記薬液シリンジを駆動する薬液注入機構と、
請求項５に記載の脱落検出装置から前記異常警告をデータ受信する警告受信手段と、
前記異常警告がデータ受信されると前記薬液注入機構を強制停止させる注入制御手段と、
を有している薬液注入装置。
【請求項１９】
データ受信した前記異常警告を報知出力する警告報知手段も有している請求項１８に記載の薬液注入装置。
【請求項２０】
薬液シリンジに充填されている薬液を人体の表面近傍の血管に延長チューブと注入針とにより注入する薬液注入装置であって、
前記薬液シリンジを駆動する薬液注入機構と、
請求項６に記載の脱落検出装置から前記脱落警告をデータ受信する警告受信手段と、
前記脱落警告がデータ受信されると前記薬液注入機構を強制停止させる注入制御手段と、
を有している薬液注入装置。
【請求項２１】
データ受信した前記脱落警告を報知出力する警告報知手段も有している請求項２０に記載の薬液注入装置。
【請求項２２】
薬液を注入するために人体の表面近傍の血管に穿刺される注入針の脱落を検出する脱落検出装置の脱落検出方法であって、
前記注入針が挿入されている前記血管にレーザビームを照射し、
前記血管を移動する血液で反射された前記レーザビームを検出し、
前記レーザビームの検出結果から血流速度を検出し、
前記血流速度の変化から前記注入針の脱落を判定し、
前記脱落が判定されると脱落警告を報知出力するようにした脱落検出方法。
【請求項２３】
薬液を注入するために人体の表面近傍の血管に穿刺される注入針の脱落を検出する脱落検出装置の脱落検出方法であって、
前記注入針が挿入されている前記血管にレーザビームを照射し、
前記血管を移動する血液で反射された前記レーザビームを検出し、
前記レーザビームの検出結果から血流速度を検出し、
前記薬液の注入開始のデータ入力を受け付け、
前記注入開始の入力以前の前記血流速度を自然速度としてデータ記憶し、
前記薬液の注入終了のデータ入力を受け付け、
前記注入開始の入力以後で前記注入終了の入力以前に前記血流速度と前記自然速度との差分が所定の許容範囲より減少すると前記注入針の脱落を判定し、
前記脱落が判定されると脱落警告を報知出力するようにした脱落検出方法。